(57)【要約】【課題】  顔検出自動撮影モードにおける撮影指示時の表示方法を改善し、撮影時の撮影条件や撮影のトリガとなる顔の数について、撮影者の誤認を防ぐことで、使い勝手の良いカメラを提供する。【解決手段】  顔検出手段（Ｓ１０１）と、  検出した顔に対して顔枠を表示するよう制御する顔枠表示制御手段（Ｓ１０４）と、  撮影準備指示を受け付けると検出した顔の数を記憶するよう制御する顔数記憶制御手段（Ｓ１０５）と、  撮影指示を受け付けると顔枠を消すよう制御する表示消去制御手段（Ｓ１０８）と、  撮影指示の受付後に検出された顔数と、顔数記憶制御手段によって記憶された顔数とを比較する顔数比較手段（Ｓ１１２）と、  顔数比較手段によって前記撮影指示の受付後に検出された顔数の方が多いと判定すると本撮影を行うよう制御する自動撮影制御手段（Ｓ１１４）とを有することを特徴とする。【選択図】  図２
2010028354.tif 000002
【特許請求の範囲】
【請求項１】
撮像手段と、
前記撮像手段で撮像されている画像から顔を検出する顔検出手段と、
前記顔検出手段によって検出した顔に対して顔枠を表示するよう制御する顔枠表示制御手段と、
撮影準備指示を受け付ける撮影準備指示受付手段と、
前記撮影準備指示を受け付けると、前記顔検出手段によって検出した顔の数を記憶するよう制御する顔数記憶制御手段と、
撮影指示を受け付ける撮影指示受付手段と、
前記撮影指示を受け付けると前記顔枠表示制御手段で表示していた顔枠を消すよう制御する表示消去制御手段と、
前記顔検出手段によって前記撮影指示の受付後に検出された顔数と、前記顔数記憶制御手段によって記憶された顔数とを比較する顔数比較手段と、
前記顔数比較手段によって前記撮影指示の受付後に検出された顔数の方が多いと判定すると自動的に前記撮像手段で本撮影を行うよう制御する自動撮影制御手段と
を有することを特徴とする撮像装置。
【請求項２】
前記撮影指示受付手段で前記撮影指示を受け付けると、前記自動撮影制御手段が本撮影を行うよう制御するための条件をガイダンス表示するよう制御するガイダンス表示制御手段をさらに有することを特徴とする請求項１記載の撮像装置。
【請求項３】
前記ガイダンス表示制御手段は、前記顔数記憶制御手段で記憶された顔数よりも多い顔数を表示するよう制御することを特徴とする請求項２記載の撮像装置。
【請求項４】
前記自動撮影制御手段は、前記顔数比較手段によって前記撮影指示の受付後に検出された顔数の方が多いと判定したことに加え、撮影画角内の特定の領域で顔が検出されること条件として自動的に前記撮像手段で本撮影を行うよう制御し、
前記ガイダンス表示制御手段は、前記特定の領域を表示するよう制御することを特徴とする請求項２または３記載の撮像装置。
【請求項５】
前記顔検出手段によって顔が検出されていない領域から自動的に前記特定の領域を設定する領域設定手段をさらに有することを特徴とする請求項４記載の撮像装置。
【請求項６】
撮影者から前記特定の領域を指定する操作を受け付ける領域指定手段をさらに有することを特徴とする請求項４または５記載の撮像装置。
【請求項７】
前記自動撮影制御手段は、前記領域指定手段で前記撮影者からの前記特定の領域を指定する操作を受け付けている間は前記本撮影を行わないことを特徴とする請求項６記載の撮像装置。
【請求項８】
前記顔枠表示制御手段は、前記撮影準備指示受付手段で撮影準備指示を受け付けると、表示していた前記顔枠を固定表示することを特徴とする請求項１乃至７記載の撮像装置。
【請求項９】
前記表示消去制御手段は更に、前記撮影指示を受け付ける前まで表示していたライブビュー表示を消すよう制御することを特徴とする請求項１乃至８記載の撮像装置。
【請求項１０】
前記撮影指示を受け付けると、当該撮像装置の動作用クロックを低く設定する設定手段を更に有することを特徴とする請求項１乃至９記載の撮像装置。
【請求項１１】
撮像部で撮像されている画像から顔を検出する顔検出ステップと、
前記顔検出ステップで検出した顔に対して顔枠を表示するよう制御する顔枠表示制御ステップと、
撮影準備指示を受け付ける撮影準備指示受付ステップと、
前記撮影準備指示を受け付けると、前記顔検出ステップで検出した顔の数を記憶するよう制御する顔数記憶制御ステップと、
撮影指示を受け付ける撮影指示受付ステップと、
前記撮影指示を受け付けると前記顔枠表示制御ステップで表示していた顔枠を消すよう制御する表示消去制御ステップと、
前記顔検出ステップで前記撮影指示の受付後に検出された顔数と、前記顔数記憶制御ステップで記憶された顔数とを比較する顔数比較ステップと、
前記顔数比較ステップで前記撮影指示の受付後に検出された顔数の方が多いと判定すると自動的に前記撮像部で本撮影を行うよう制御する自動撮影制御ステップと
を有することを特徴とする撮像方法。
【請求項１２】
コンピュータを、
撮像部で撮像されている画像から顔を検出する顔検出手段、
前記顔検出手段によって検出した顔に対して顔枠を表示するよう制御する顔枠表示制御手段、
撮影準備指示を受け付ける撮影準備指示受付手段、
前記撮影準備指示を受け付けると、前記顔検出手段によって検出した顔の数を記憶するよう制御する顔数記憶制御手段、
撮影指示を受け付ける撮影指示受付手段、
前記撮影指示を受け付けると前記顔枠表示制御手段で表示していた顔枠を消すよう制御する表示消去制御手段、
前記顔検出手段によって前記撮影指示の受付後に検出された顔数と、前記顔数記憶制御手段によって記憶された顔数とを比較する顔数比較手段、
前記顔数比較手段によって前記撮影指示の受付後に検出された顔数の方が多いと判定すると自動的に前記撮像部で本撮影を行うよう制御する自動撮影制御手段
として機能させるためのプログラム。
【請求項１３】
コンピュータを、
撮像部で撮像されている画像から顔を検出する顔検出手段、
前記顔検出手段によって検出した顔に対して顔枠を表示するよう制御する顔枠表示制御手段、
撮影準備指示を受け付ける撮影準備指示受付手段、
前記撮影準備指示を受け付けると、前記顔検出手段によって検出した顔の数を記憶するよう制御する顔数記憶制御手段、
撮影指示を受け付ける撮影指示受付手段、
前記撮影指示を受け付けると前記顔枠表示制御手段で表示していた顔枠を消すよう制御する表示消去制御手段、
前記顔検出手段によって前記撮影指示の受付後に検出された顔数と、前記顔数記憶制御手段によって記憶された顔数とを比較する顔数比較手段、
前記顔数比較手段によって前記撮影指示の受付後に検出された顔数の方が多いと判定すると自動的に前記撮像部で本撮影を行うよう制御する自動撮影制御手段
として機能させるためのプログラムを記録したコンピュータが読み取り可能な記録媒体。
【発明の詳細な説明】
【技術分野】
【０００１】
本発明は、撮像装置による顔検出自動撮影時の表示方法に関する。
【背景技術】
【０００２】
従来、セルフタイマー撮影では任意の秒数経過後に撮影を行うことができるので、撮影者がデジタルカメラにセルフタイマー撮影の設定をした後、任意の秒数以内に画角内に入ることによって、撮影者も写真に写ることが可能である。
【０００３】
また近年、顔検出機能を備えたデジタルカメラがあり、画角内にある顔を検出し、検出した顔に対してＡＦやＡＥを行うことが可能である。
【０００４】
顔検出機能を利用した自動撮影方法も提案されている。撮影者が顔検出自動撮影の設定をしたときに、画角内の検出した顔の数を記憶し、画角内の顔の数が増えたら自動的に撮影を行うものである。以後、この撮影方法を顔検出自動撮影と呼ぶ。例えば特許文献１では、シャッターボタンを押した後、検出している顔に枠を表示画面上に表示し続け、画角内の顔の数が増えてその顔が静止したと判定されたら撮影を行う。
【特許文献１】特開２００６−５６６２
【発明の開示】
【発明が解決しようとする課題】
【０００５】
上記のような従来の顔検出自動撮影機能では、シャッターボタン半押し（撮影準備指示）時に合焦した顔及びその他の検出している顔について枠表示を行う。撮影者はこの枠表示により、撮影のトリガとなる顔の数を認知する。顔検出自動撮影モードでは、シャッターボタン半押し時（撮影準備指示時）及び顔増加後の撮影直前の２回、ＡＦを行う。しかし、シャッターボタン半押し時に検出した顔の枠表示をシャッターボタン全押し後（撮影指示後）も表示し続けていると、実際の撮影もその顔に対する合焦状態で行われると撮影者が勘違いしてしまうおそれがあった。
【０００６】
また、特許文献１のようにシャッターボタン全押し後に顔枠表示を更新し続けると、カメラのＣＰＵ負荷が増加するとともに、撮影者が撮影のトリガとなる顔の数を誤認してしまうおそれがあった。例えば、シャッターボタン半押し時に２人の顔を検出していたが、その後１人が横を向き、シャッターボタン全押し時には横を向いた１人の顔を検出しなくなったとする。その場合に顔枠表示を更新し続けると、シャッターボタン半押し時には２つの顔枠を表示していたが、シャッターボタン全押し時に顔枠の数が１つになってしまうということが起こる。すると撮影者は、更新表示された顔枠数の１より多い２以上が撮影のトリガとなる顔の数なのか、シャッターボタン半押しの際に表示されていた顔枠数の２より多い３以上が撮影のトリガとなる顔の数なのかがわからなくなってしまうおそれがある。
【０００７】
そこで本発明では、顔検出自動撮影モードにおける撮影指示時の表示方法を改善し、撮影時の撮影条件や撮影のトリガとなる顔の数について、撮影者の誤認を防ぐことで、使い勝手の良いカメラを提供することを目的とする。
【課題を解決するための手段】
【０００８】
上記目的を達成するために、本発明の請求項１の撮像装置は、
撮像手段と、
前記撮像手段で撮像されている画像から顔を検出する顔検出手段と、
前記顔検出手段によって検出した顔に対して顔枠を表示するよう制御する顔枠表示制御手段と、
撮影準備指示を受け付ける撮影準備指示受付手段と、
前記撮影準備指示を受け付けると、前記顔検出手段によって検出した顔の数を記憶するよう制御する顔数記憶制御手段と、
撮影指示を受け付ける撮影指示受付手段と、
前記撮影指示を受け付けると前記顔枠表示制御手段で表示していた顔枠を消すよう制御する表示消去制御手段と、
前記顔検出手段によって前記撮影指示の受付後に検出された顔数と、前記顔数記憶制御手段によって記憶された顔数とを比較する顔数比較手段と、
前記顔数比較手段によって前記撮影指示の受付後に検出された顔数の方が多いと判定すると自動的に前記撮像手段で本撮影を行うよう制御する自動撮影制御手段と
を有することを特徴とする。
【０００９】
本発明の請求項１１の撮像方法は、
像部で撮像されている画像から顔を検出する顔検出ステップと、
前記顔検出ステップで検出した顔に対して顔枠を表示するよう制御する顔枠表示制御ステップと、
撮影準備指示を受け付ける撮影準備指示受付ステップと、
前記撮影準備指示を受け付けると、前記顔検出ステップで検出した顔の数を記憶するよう制御する顔数記憶制御ステップと、
撮影指示を受け付ける撮影指示受付ステップと、
前記撮影指示を受け付けると前記顔枠表示制御ステップで表示していた顔枠を消すよう制御する表示消去制御ステップと、
前記顔検出ステップで前記撮影指示の受付後に検出された顔数と、前記顔数記憶制御ステップで記憶された顔数とを比較する顔数比較ステップと、
前記顔数比較ステップで前記撮影指示の受付後に検出された顔数の方が多いと判定すると自動的に前記撮像部で本撮影を行うよう制御する自動撮影制御ステップと
を有することを特徴とする。
【００１０】
本発明の請求項１２のプログラムは、
コンピュータを、
撮像部で撮像されている画像から顔を検出する顔検出手段、
前記顔検出手段によって検出した顔に対して顔枠を表示するよう制御する顔枠表示制御手段、
撮影準備指示を受け付ける撮影準備指示受付手段、
前記撮影準備指示を受け付けると、前記顔検出手段によって検出した顔の数を記憶するよう制御する顔数記憶制御手段、
撮影指示を受け付ける撮影指示受付手段、
前記撮影指示を受け付けると前記顔枠表示制御手段で表示していた顔枠を消すよう制御する表示消去制御手段、
前記顔検出手段によって前記撮影指示の受付後に検出された顔数と、前記顔数記憶制御手段によって記憶された顔数とを比較する顔数比較手段、
前記顔数比較手段によって前記撮影指示の受付後に検出された顔数の方が多いと判定すると自動的に前記撮像部で本撮影を行うよう制御する自動撮影制御手段
として機能させるためのプログラムであることを特徴とする。
【００１１】
本発明の請求項１３の記録媒体は、
コンピュータを、
撮像部で撮像されている画像から顔を検出する顔検出手段、
前記顔検出手段によって検出した顔に対して顔枠を表示するよう制御する顔枠表示制御手段、
撮影準備指示を受け付ける撮影準備指示受付手段、
前記撮影準備指示を受け付けると、前記顔検出手段によって検出した顔の数を記憶するよう制御する顔数記憶制御手段、
撮影指示を受け付ける撮影指示受付手段、
前記撮影指示を受け付けると前記顔枠表示制御手段で表示していた顔枠を消すよう制御する表示消去制御手段、
前記顔検出手段によって前記撮影指示の受付後に検出された顔数と、前記顔数記憶制御手段によって記憶された顔数とを比較する顔数比較手段、
前記顔数比較手段によって前記撮影指示の受付後に検出された顔数の方が多いと判定すると自動的に前記撮像部で本撮影を行うよう制御する自動撮影制御手段
として機能させるためのプログラムを記録したコンピュータが読み取り可能な記録媒体であることを特徴とする。
【発明の効果】
【００１２】
本発明によれば、撮影準備指示受け付け時の顔枠表示が撮影指示後に消えるため、実際の撮影が撮影準備指示時の撮影条件で行われると撮影者が勘違いしてしまうのを防ぐことができる。
【００１３】
また、顔枠表示を更新し続ける必要がないため、カメラのＣＰＵ負荷を低減することができるとともに、顔枠表示を更新することで撮影者が撮影のトリガとなる顔の数を誤認してしまうのを防ぐことができる。
【発明を実施するための最良の形態】
【００１４】
以下、図面を参照して本発明の好適な実施形態を説明する。
【００１５】
図１（ａ）に本発明の撮像装置の一例としてのデジタルカメラの外観図を示す。画像表示部２８は画像や各種情報を表示する表示部である。シャッターボタン６１は撮影準備指示と撮影指示を行うための操作部である。モードダイアル６０は各種モードを切り替えるための操作部である。コネクタ１１２は接続ケーブルとデジタルカメラ１００とのコネクタである。操作部７０はユーザーからの各種操作を受け付ける各種スイッチ、ボタン、タッチパネル等の操作部材より成る操作部である。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。
【００１６】
図１（ｂ）はデジタルカメラ１００の構成ブロック図の例である。
【００１７】
図１（ｂ）において、１００はデジタルカメラである。
【００１８】
１０は撮影レンズ、１２は絞り機能を備えるシャッター、１４は光学像を電気信号に変換する撮像素子、１６は撮像素子１４のアナログ信号出力をデジタル信号に変換するＡ／Ｄ変換器である。
【００１９】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００２０】
２０は画像処理回路であり、Ａ／Ｄ変換器１６からのデータ或いはメモリ制御回路２２からのデータに対して所定の画素補間処理や色変換処理を行う。
【００２１】
また、画像処理回路２０においては、撮像した画像データを用いて所定の演算処理を行い、得られた演算結果に基づいてシステム制御回路５０が制御を行いＡＦ（オートフォーカス）処理、ＡＥ（自動露出）処理、ＥＦ（フラッシュプリ発光）処理を行っている。
【００２２】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２３】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２４】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２５】
２４は画像表示メモリ、２６はＤ／Ａ変換器、２７はＤ／Ａ変換器２６の出力を外部モニタに出力するコネクタである。外部出力コネクタ２７にコネクタが挿されている場合は外部出力接続検知手段１０８によりシステム制御回路５０は外部出力状態を知る事が出来る。
【００２６】
２８はＴＦＴ  ＬＣＤ等から成る画像表示部であり、画像表示メモリ２４に書き込まれた表示用の画像データはＤ／Ａ変換器２６を介して画像表示部２８により表示される。
【００２７】
画像表示部２８を用いて撮像した画像データを逐次表示すれば、電子ファインダー機能を実現することが可能である。
【００２８】
また、画像表示部２８は、システム制御回路５０の指示により任意に表示をＯＮ／ＯＦＦすることが可能であり、表示をＯＦＦにした場合にはデジタルカメラ１００の電力消費を大幅に低減することが出来る。
【００２９】
さらに、画像表示部２８は、回転可能なヒンジ部によってデジタルカメラ１００本体と結合されており、自由な向き、角度を設定して電子ファインダー機能や再生表示機能、各種表示機能を使用することも可能である。この場合、画像表示部２８の表示部分をデジタルカメラ１００に向けて格納することが可能であり、この場合は画像表示部開閉検知手段１０６により、格納状態を検知して画像表示部２８の表示動作を停止することが出来る。
【００３０】
３０は撮影した静止画像や動画像を格納するためのメモリであり、所定枚数の静止画像や所定時間の動画像を格納するのに十分な記憶量を備えている。
【００３１】
これにより、複数枚の静止画像を連続して撮影する連射撮影やパノラマ撮影の場合にも、高速かつ大量の画像書き込みをメモリ３０に対して行うことが可能となる。
【００３２】
また、メモリ３０はシステム制御回路５０の作業領域としても使用することが可能である。メモリ３０は、記録媒体２００や２１０の書き込みバッファとしても使われる。
【００３３】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３４】
４０は絞り機能を備えるシャッター１２を制御する露光制御手段であり、フラッシュ４８と連携することによりフラッシュ調光機能も有するものである。
【００３５】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３６】
４８はフラッシュであり、ＡＦ補助光の投光機能、フラッシュ調光機能も有する。
【００３７】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３８】
５０はデジタルカメラ１００全体を制御するシステム制御回路である。システム制御回路５０は、不揮発性メモリ５６に記録されたプログラムを実行することで、後述する各実施例の処理を実現する。
【００３９】
５２はシステム制御回路５０の動作用の定数、変数、不揮発性メモリ５６から読み出したプログラム等を展開するメモリである。
【００４０】
５４はシステム制御回路５０でのプログラムの実行に応じて、文字、画像、音声等を用いて動作状態やメッセージ等を表示する液晶表示装置、スピーカー等の表示部である。表示部５４はデジタルカメラ１００の操作部近辺の視認し易い位置に単数或いは複数個所設置され、例えばＬＣＤやＬＥＤ、発音素子等の組み合わせにより構成されている。また、表示部５４は、その一部の機能が光学ファインダー１０４内に設置されている。
【００４１】
表示部５４の表示内容のうち、ＬＣＤ等に表示するものとしては、絞り値表示、露出補正表示、フラッシュ表示、マクロ撮影表示、ブザー設定表示、電池残量表示、エラー表示、記録媒体２００及び２１０の着脱状態表示等がある。
【００４２】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００４３】
５６は電気的に消去・記録可能な不揮発性メモリであり、例えばＥＥＰＲＯＭ等が用いられる。不揮発性メモリ５６には、システム制御回路５０の動作用の定数、プログラム等が記憶される。ここでいう、プログラムとは、後述の各実施例における各種フローチャートを実行するためのプログラムのことである。
【００４４】
５８は記録媒体２００や２１０のデータ記録速度や、取得するデータのデータレートを測定するために使われるタイマーである。
【００４５】
５９はセルフタイマー撮影時に設定された秒数を計時するために使われるタイマーである。
【００４６】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４７】
ここで、これらの操作手段の具体的な説明を行う。
【００４８】
６０はモードダイアルで、電源オフ、自動撮影モード、撮影モード（パノラマ撮影モード、動画撮影モード含む）、再生モード、マルチ画面再生・消去モード、ＰＣ接続モード等の各機能モードを切り替え設定することが出来る。
【００４９】
６２はシャッタースイッチＳＷ１で、シャッターボタン６１の操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する（撮影準備指示）。以後、シャッターボタン６１の操作途中でこのシャッタースイッチＳＷ１（６２）がＯＮとなる操作をＳＷ１操作と呼ぶ。
【００５０】
６４はシャッタースイッチＳＷ２で、シャッターボタン６１の操作完了でＯＮとなり、撮像素子１４から読み出した信号をＡ／Ｄ変換器１６、メモリ制御回路２２を介してメモリ３０に画像データを書き込む露光処理の動作開始を指示する。同時に、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。また動画撮影の場合は動画撮影の開始・停止を指示する。また、後述するセルフタイマー撮影モードの時はセルフタイマー計時を、後述する顔検出自動撮影モードの時はタイマー計時開始と自動撮影の条件判定開始の指示をする。以後、シャッターボタン６１の操作完了でシャッタースイッチＳＷ２（６４）がＯＮとなることによるこれらの指示を撮影指示と呼ぶ。シャッターボタン６１の操作完了でシャッタースイッチＳＷ２（６４）がＯＮとなる操作をＳＷ２操作と呼ぶ。
【００５１】
また、６８はクイックレビューＯＮ／ＯＦＦスイッチで、撮影直後に撮影した画像データを自動再生するクイックレビュー機能を設定する。なお、本実施例では特に、画像表示部２８をＯＦＦとした場合におけるクイックレビュー機能の設定をする機能を備えるものとする。
【００５２】
操作部７０は各種ボタンやタッチパネル等からなる。具体的に例示すると以下の通りとなる。メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン。再生画像移動＋（プラス）ボタン、再生画像−（マイナス）ボタン、撮影画質選択ボタン、露出補正ボタン、日付／時間設定ボタン。各種機能の選択及び切り替えを設定する選択／切り替えボタン、各種機能の決定及び実行を設定する決定ボタン。画像表示部２８のＯＮ／ＯＦＦを設定する表示ボタン。撮影直後に撮影した画像データを自動再生するクイックレビュー機能を設定するクイックレビューＯＮ／ＯＦＦスイッチ。撮影時にズームと広角を調節する、あるいは再生時に拡大／縮小を調節する、１画面表示／マルチ画面表示を切り替えるズーム操作部。ＪＰＥＧ（Ｊｏｉｎｔ  Ｐｈｏｔｏｇｒａｐｈｉｃ  Ｅｘｐｅｒｔ  Ｇｒｏｕｐ）圧縮の圧縮率を選択するため、或いは撮像素子の信号をそのままデジタル化して記録媒体に記録するＣＣＤＲＡＷモードを選択するための圧縮モードスイッチ。
【００５３】
電源制御手段８０は、電池の装着の有無、電池の種類、電池残量の検出を行い、検出結果及びシステム制御回路５０の指示に基づいて、必要な電圧を必要な期間、記録媒体を含む各部へ供給する。
【００５４】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００５５】
９０及び９４はメモリカードやハードディスク等の記録媒体とのインターフェースである。９２及び９６はメモリカードやハードディスク等の記録媒体と接続を行うコネクタである。９８はコネクタ９２及び或いはコネクタ９６に記録媒体２００或いは２１０が装着されているか否かを検知する記録媒体着脱検知手段である。
【００５６】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５７】
インターフェース及びコネクタとしては、ＰＣＭＣＩＡカードやＣＦ（コンパクトフラッシュ（登録商標））カード等の規格に準拠したものを用いて構成して構わない。
【００５８】
さらに、インターフェース９０及び９４、そしてコネクタ９２及び９６に各種通信カードを接続することにより、他機器との間で画像データや画像データに付属した管理情報を転送し合うことが出来る。
【００５９】
１０２は、デジタルカメラ１００のレンズ１０を含む撮像部を覆う事により、撮像部の汚れや破損を防止するバリアである保護手段である。
【００６０】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００６１】
１０６は画像表示部開閉検知手段であり、画像表示部２８が、画像表示部２８の表示部分をデジタルカメラ１００に向けて格納した格納状態にあるかどうかを検知することが出来る。
【００６２】
ここで、格納状態にあると検知したならば画像表示部２８の表示動作を停止して不要な電力消費を禁止することが可能である。
【００６３】
１０８は外部出力コネクタ接続検知手段であり、外部出力コネクタ２７に外部モニタが接続されているかどうかを検知することが出来る。ここで、接続状態にあると検知したならば画像表示部２８の代わりに外部モニタを表示装置として用いることが可能である。
【００６４】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００６５】
１１２は通信手段１１０によりデジタルカメラ１００を他の機器と接続するコネクタ或いは無線通信の場合はアンテナである。
【００６６】
１１４はマイクで、音声データ取得手段である。１１６はマイク１１４で得られた音声データをシステム制御回路５０で取得するためにＡ／Ｄ変換するＡ／Ｄ変換機である。
【００６７】
１１８はスピーカーで、音声データ再生手段である。１２０はシステム制御回路５０から出力されるデジタル音声データをスピーカー１１８で再生するためにＤ／Ａ変換するＤ／Ａ変換機である。
【００６８】
２００はメモリカードやハードディスク等の記録媒体である。
【００６９】
記録媒体２００は、半導体メモリや磁気ディスク等から構成される記録部２０２、デジタルカメラ１００とのインターフェース２０４、デジタルカメラ１００と接続を行うコネクタ２０６を備えている。
【００７０】
また、この記録媒体２００がＰＣＭＣＩＡ規格のＰＣ−ＣａｒｄやＣｏｍｐａｃｔＦｌａｓｈ等の場合は、性能が記されている情報記憶回路を内蔵している事もある。
【００７１】
２１０はメモリカードやハードディスク等の記録媒体である。
【００７２】
記録媒体２１０は、半導体メモリや磁気ディスク等から構成される記録部２１２、デジタルカメラ１００とのインターフェース２１４、デジタルカメラ１００と接続を行うコネクタ２１６を備えている。
【００７３】
また、この記録媒体２１０がＰＣＭＣＩＡ規格のＰＣ−ＣａｒｄやＣｏｍｐａｃｔＦｌａｓｈ等の場合は、性能が記されている情報記憶回路を内蔵している事もある。
【００７４】
上述したデジタルカメラ１００では中央１点ＡＦや顔ＡＦを用いた撮影が可能である。中央１点ＡＦとは撮影画面内の中央位置１点に対してＡＦを行うことである。顔ＡＦとは顔検出機能によって検出された撮影画面内の顔に対してＡＦを行うことである。
【００７５】
顔検出機能について説明する。システム制御回路５０は顔検出対象の画像データを画像処理回路２０に送る。システム制御回路５０の制御下で画像処理回路２０は、当該画像データに水平方向バンドパスフィルタを作用させる。また、システム制御回路５０の制御下で画像処理回路２０は処理された画像データに垂直方向バンドパスフィルタを作用させる。これら水平及び垂直方向のバンドパスフィルタにより、画像データよりエッジ成分が検出される。
【００７６】
その後、システム制御回路５０は、検出されたエッジ成分に関してパターンマッチングを行い、目及び鼻、口、耳の候補群を抽出する。そして、システム制御回路５０は、抽出された目の候補群の中から、予め設定された条件（例えば２つの目の距離、傾き等）を満たすものを、目の対と判断し、目の対があるもののみ目の候補群として絞り込む。そして、システム制御回路５０は、絞り込まれた目の候補群とそれに対応する顔を形成する他のパーツ（鼻、口、耳）を対応付け、また、予め設定した非顔条件フィルタを通すことで、顔を検出する。システム制御回路５０は、顔の検出結果に応じて上記顔情報を出力し、処理を終了する。このとき、顔の数などの特徴量をメモリ５２に記憶する。
【００７７】
以上のようにライブビュー表示あるいは再生表示される画像データを画像解析して、画像データの特徴量を抽出して被写体情報を検出することが可能である。本実施例では被写体情報として顔情報を例に挙げたが、被写体情報には他にも赤目判定や目の検出、目つむり検出、笑顔検出等の様々な情報がある。
【００７８】
なお、顔ＡＦと同時に顔ＡＥ，顔ＦＥ、顔ＷＢを行うことができる。顔ＡＥとは検出された顔の明るさに合わせて、画面全体の露出を最適化することである。顔ＦＥとは検出された顔を中心にフラッシュの調光をすることである。顔ＷＢとは、検出された顔の色に合わせて画面全体のＷＢを最適化することである。
【００７９】
また、上記通常の撮影のほかに、セルフタイマー撮影をすることができる。セルフタイマー撮影とは、ＳＷ２操作（撮影指示）があってから任意の秒数後に撮影を行うことである。またセルフタイマー撮影では秒数だけでなく撮影枚数も任意に決めることができる。操作部７０を操作することによりセルフタイマー撮影モードに入る。
【００８０】
また、顔検出機能を用いた自動撮影（顔検出自動撮影）をすることができる。顔検出機能を用いた自動撮影とは以下のような撮影である。まず上記セルフタイマー撮影と同様に秒数と撮影枚数が設定することが可能であり、ＳＷ１操作があると（撮影準備指示を受け付けると）、顔検出で検出した画角内の顔の数を記憶し、顔ＡＦと、顔ＡＥ、顔ＷＢおよび顔ＦＥを行う。つづいてＳＷ２操作があると（撮影開始指示を受け付けると）タイマーが開始され、ＳＷ１操作時に記憶した顔の数よりもＳＷ２操作後の顔の数が増えたときに自動的に再度顔ＡＦと、顔ＡＥ、顔ＷＢおよび顔ＦＥを行って撮影を行う。タイマーは、顔の数が所定時間増えない場合のタイムアウト処理に使用される。操作部７０を操作することにより顔検出自動撮影モードに入り、設定にしたがって後述の図２〜４の顔検出自動撮影を行うことができるモードに入る。
【００８１】
以下、図２〜図８を参照して、本発明の各実施例の動作を説明する。
【００８２】
＜実施例１＞
実施例１では、ＳＷ２操作があると顔の枠を消し、撮影のトリガとなるガイダンスを表示する例を述べる。
【００８３】
図２はＳＷ２操作に応じて検出した顔の枠を消し、撮影のトリガとなるガイダンスを表示する顔検出自動撮影処理１のフローチャートである。この顔検出自動撮影処理１における各処理は、システム制御回路５０が不揮発性メモリ５６等に格納されたプログラムをメモリ５２に展開して実行することにより実現される。
【００８４】
操作部７０を操作することにより顔検出自動撮影モードに入ると、画像表示部２８に撮像素子１４で撮像されている画像データをほぼリアルタイムで表示するライブビュー表示を行い、ステップＳ１０１において画角内の顔の検出を行う。顔が検出されると、画像表示部２８に表示されるライブビュー表示に重畳して顔枠を表示する（顔枠表示制御）。この顔枠は継続的に撮像されている画像データ中で検出される顔の数や位置、大きさに応じて動的に更新される。
【００８５】
続いてステップＳ１０２においてＳＷ１操作があったか否かを判定する。ＳＷ１操作がないと判定するとステップＳ１０１へ進んでＳＷ１操作を待ち、ＳＷ１操作があったと判定するとステップＳ１０３へ進む。
【００８６】
ステップＳ１０３ではＳＷ１操作がされた時点で検出された顔にフォーカスが合うようにＡＦを行う。ＳＷ１操作時に検出された顔がなければ中央一点ＡＦを行う。なおこの際、顔ＡＥ，顔ＦＥ，顔ＷＢを同時に行っても良い。
【００８７】
ステップＳ１０４では、ＳＷ１操作がされた時点で検出された顔に対する顔枠の固定表示を行う（顔枠固定表示制御）。図５にステップＳ１０４での顔枠表示例を示す。図５では画像表示部２８に表示されているライブビュー表示上に、ＳＷ１操作時に検出された全ての顔に対する顔枠が固定して表示されている。ここでの顔枠の表示は、前述のステップＳ１０１の動的な顔枠表示と異なり、ＳＷ１が操作された時点で検出された顔に基づいた顔枠を固定して表示する。これによりＳＷ１操作がされた時点で検出された顔の数を撮影者に明示することができ、撮影者は後述するステップで何人を超える顔が検出されると自動撮影されるのかがわかる。表示された顔枠のうち、ステップＳ１０３で行われた顔ＡＦで合焦した顔枠については、合焦枠として他の顔枠と識別可能なように異なる表示形態で表示する。例えば合焦枠は緑色で、その他の顔枠は白色で表示する。
【００８８】
図２に戻り、ステップＳ１０５ではＳＷ１操作時に検出した顔の数ｎをメモリ５２に記憶する（顔数記憶制御）。
【００８９】
続いてステップＳ１０６においてＳＷ２操作があったか否かを判定する。ＳＷ２操作があったと判定したらステップＳ１０７へ進み、そうでない場合はステップＳ１１５へ進む。ステップＳ１１５ではＳＷ１操作がされたままか否かを判定し、ＳＷ１操作がされたままであればステップＳ１０６へ進みＳＷ２操作を待つ。そうでない場合はステップＳ１０１へ進んで顔検出自動撮影処理１をやり直す。
【００９０】
ＳＷ２操作があるとステップＳ１０７においてタイマーの計時を開始する。
【００９１】
続いてステップＳ１０８において、ステップＳ１０４で表示した顔枠を消す（表示消去制御）。
【００９２】
同時にステップＳ１０９において撮影開始のトリガを示すガイダンスを表示する（ガイダンス表示制御）。図６にステップＳ１０９での表示例を示す。図６では、画像表示部２８に、ライブビュー表示に重畳してステップＳ１０５で記憶した顔数ｎより顔が増えたら自動的に撮影が行われる旨のガイダンスが表示されている。この時の表示ではステップＳ１０８で顔枠を消しているので、ステップＳ１０４で表示されていた顔枠は表示されていない。なお、ガイダンス表示の他の方法としてＳＷ２操作時に顔の枠を消し、撮影のトリガとなる人数をガイダンス表示してもよい。図７に撮影のトリガとなる人数のガイダンス表示の例を示す。ＳＷ１操作時に検出された顔の数が２で、ステップＳ１０５で顔数ｎ＝２と記憶されているとすると、ＳＷ２操作後に顔数が３（＝ｎ＋１）以上になった時に自動的に撮影が行われる。図７の例ではこのように、顔数ｎ＝２だったため、３つ以上の顔が検出されると撮影を行う旨をガイダンスしている。
【００９３】
図２に戻り、ステップＳ１１０ではステップＳ１０７で計時を開始したタイマーが終了したかどうかを判定する。終了していればステップＳ１１３へ進み、終了していなければステップＳ１１１へ進む。
【００９４】
ステップＳ１１１では撮影画角内の顔検出を行う。この顔検出はＳＷ２操作直後から継続的に行われるものである。
【００９５】
ステップＳ１１２では、ステップＳ１１１で検出した顔の数とステップＳ１０５で記憶した顔数ｎとを比較して、ステップＳ１１１で検出した顔の数がステップＳ１０５で記憶した顔数ｎより多いか否かを判定する（顔数比較）。ステップＳ１１１で検出した顔の数の方が多いと判定した場合はステップＳ１１３へ進み、そうでない場合はステップＳ１１０へ戻り、タイマーが終了するか顔数がｎを超えるのを待つ。
【００９６】
ステップＳ１１３ではステップＳ１１１で検出された顔にフォーカスが合うようにＡＦを行う。この際、顔ＡＥ，顔ＦＥ，顔ＷＢ等の他の撮影条件設定を同時に行っても良い。ステップＳ１１１で顔が検出されずにＳ１１０でタイマーが終了した場合は中央一点ＡＦを行う。
【００９７】
そしてステップＳ１１４で、ステップＳ１１３で設定された撮影条件に基いて自動的に本撮影を行い（自動撮影制御）、顔検出自動撮影処理を終了する。本撮影とは、撮像素子１４から読み出した信号をＡ／Ｄ変換器１６、メモリ制御回路２２を介してメモリ３０に画像データを書き込み、現像処理、圧縮処理を施して記録媒体２００或いは２１０に画像データを書き込む一連の処理である。
【００９８】
本実施例に拠れば、ＳＷ１操作時に検出された顔に対する顔枠がＳＷ２操作後に消えるため、実際の撮影がＳＷ１操作時に検出された顔に対する合焦状態で行われると撮影者が勘違いしてしまうのを防ぐことができる。また、撮影のトリガとなるガイダンスを表示することにより、撮影者がどの条件でカメラが自動的に撮影するのかを確認することができる。
【００９９】
＜実施例２＞
実施例２では、ＳＷ２操作時に顔の枠を消し、ライブビュー表示を消し、システム制御回路５０の動作クロック周波数を低く設定する例を述べる。
【０１００】
図３はライブビュー表示を消し、カメラ動作用クロック周波数を低く設定する顔検出自動撮影処理２のフローチャートである。この顔検出自動撮影処理２における各処理は、システム制御回路５０が不揮発性メモリ５６等に格納されたプログラムをメモリ５２に展開して実行することにより実現される。
【０１０１】
図３のステップＳ２０１からステップＳ２０８、Ｓ２１６の処理は前述の図２におけるステップＳ１０１からステップＳ１０８、Ｓ１１５と同様の処理であるので説明を省略する。
【０１０２】
ステップＳ２０９では画像表示部２８のライブビュー表示を消す。そしてステップＳ２１０ではシステム制御回路５０の動作クロック周波数を下げるように設定する。
【０１０３】
ステップＳ２１１からステップＳ２１５の処理は前述の図２のステップＳ１１０からステップＳ１１４と同様の処理であるので説明を省略する。
【０１０４】
本実施例によれば、ＳＷ２操作時にライブビュー表示を消し、システム制御回路の動作クロック周波数を低くすることにより、カメラの消費電力を抑えることができる。ＳＷ２操作時にライブビュー表示を消しても、撮影者はＳＷ１操作時に検出している顔数および画角を既に確認しているため、支障はない。また、ＳＷ２操作後にライブビュー表示を行わない分のＣＰＵ負荷が軽減されるため、クロック周波数を下げることが可能となる。
【０１０５】
＜実施例３＞
実施例３では、ＳＷ２で顔の枠を消し、撮影者が入るべきポイントをガイダンス表示する例を述べる。
【０１０６】
図４はライブビュー表示を消し、撮影者が入るべきポイントをガイダンス表示する顔検出自動撮影処理３のフローチャートである。この顔検出自動撮影処理３における各処理は、システム制御回路５０が不揮発性メモリ５６等に格納されたプログラムをメモリ５２に展開して実行することにより実現される。
【０１０７】
図４のステップＳ３０１からステップＳ３０８、Ｓ３０９の処理は前述の図２におけるステップＳ１０１からステップＳ１０８、Ｓ１１５と同様の処理であるので説明を省略する。
【０１０８】
ステップＳ３１１では、撮影者が入るべき非被写体領域を表示する。図８に非被写体領域の表示例を示す。図８では、画像表示部２８に、ライブビュー表示に重畳して非被写体領域を赤い破線で示し、非被写体領域内に顔が入るように撮影者が移動するように促す旨のガイダンスが表示されている。非被写体領域とは、顔などの被写体が存在していない特定の領域のことであり、このガイダンス表示により撮影者が入るべきポイントを探すことを補助する。非被写体領域の領域設定方法としては、顔が存在しない所定サイズ以上の領域を探して設定しても良いし、他の顔と並ぶような位置とサイズで顔が存在しない領域を探して設定しても良い。この時の表示ではステップＳ３０８で顔枠を消しているので、ステップＳ３０４で表示されていた顔枠は表示されていない。そのため、実施例１で述べた効果に加え、撮影者が非被写体領域と顔枠とを混同することを防ぐことができる。なお、図６や図７で前述したような顔検出自動撮影のトリガのガイダンスを同時に表示しても良いことは言うまでもない。
【０１０９】
ステップＳ３１２ではステップＳ３０７で計時を開始したタイマーが終了したかどうかを判定する。終了していればステップＳ３１７へ進み、終了していなければステップＳ３１３へ進む。
【０１１０】
ステップＳ３１３では、非被写体領域の変更操作により領域指定がなされたかどうかを判定する。非被写体領域はカメラで自動的に表示するが、その後撮影者が操作部７０を操作することにより任意の領域を指定して変更することが可能である。ステップＳ３１３おいて非被写体領域の変更操作がなされた場合はステップＳ３１４に進み、そうでない場合はステップＳ３１５へ進む。
【０１１１】
ステップＳ３１４では、操作部７０の操作により指定されたとおりに、非被写体領域の位置とサイズを変更し、その領域を再表示する。この処理を行っている最中には、顔の数の検出は行わない。また、ステップＳ３０７で計時を開始したタイムアウト処理に使用するタイマーを、この処理の最中には一時停止しておく。あるいは、ステップＳ３０７で計時を開始したタイムアウト処理に使用するタイマーをリセットし、ステップＳ３１４の処理後に計時を再スタートする。これにより、撮影者が非被写体領域を操作している際の意図しない撮影処理及びタイムアウト処理を防ぐことができる。
【０１１２】
ステップＳ３１５では撮影画角内の顔検出を行う。この顔検出はＳＷ２操作直後から、あるいはステップＳ３１４の非被写体領域の操作後から継続的に行われるものである。
【０１１３】
ステップＳ３１６では、ステップＳ３１５で検出した顔の数がステップＳ３０５で記憶した顔数ｎより多く、かつ非被写体領域で顔が検出されたか否かを判定する。顔の数が顔数ｎより多く、かつ非被写体領域で顔が検出されたと判定した場合はステップＳ３１７へ進み、そうでない場合はステップＳ１１０へ戻り、タイマーが終了するか顔数がｎを超えてかつ非被写体領域で顔が検出されるのを待つ。
【０１１４】
ステップＳ３１７ではステップＳ３１５で検出された顔にフォーカスが合うようにＡＦを行う。この際、顔ＡＥ，顔ＦＥ，顔ＷＢ等の他の撮影条件設定を同時に行っても良い。ステップＳ３１５で顔が検出されずにＳ３１２でタイマーが終了した場合は中央一点ＡＦを行う。
そしてステップＳ３１８ではステップＳ３１７で設定された撮影条件に基いて自動的に本撮影を行い、顔検出自動撮影処理を終了する。
【０１１５】
本実施例によれば、ＳＷ１操作時よりも顔が増えることに加え、非被写体領域で顔が検出されることも撮影が行われる条件としているため、画角全体では顔が増えていても非被写体領域で顔が検出されていなければ本撮影を行わない。これにより、撮影者が意図する配置に移動している途中に撮影されてしまう可能性や、撮影者が意図しない人物が増えることによって撮影される可能性を低減することができる。また、ＳＷ１操作時の顔枠がＳＷ２操作後に消えるため、撮影者が非被写体領域と顔枠とを混同することを防ぐことができる。
【０１１６】
以上説明したように、本発明によれば、顔検出自動撮影においてＳＷ１操作（撮影準備指示受付）時の枠表示がＳＷ２操作後（撮影指示受付後）に消えるため、実際の撮影がＳＷ１操作時の撮影条件設定で行われると撮影者が誤認してしまうのを防ぐことができる。
【０１１７】
また、枠表示を更新し続ける必要がないため、カメラのＣＰＵ負荷を低減することができる。
【０１１８】
また、ＳＷ２操作後に検出された顔の数に応じて顔枠を更新表示すると、撮影者が撮影のトリガとなる顔の数を誤認してしまう可能性があるが、ＳＷ２操作後に顔枠を消すのでそれも防ぐことができる。
【０１１９】
なお、上述した実施の形態の処理は、各機能を具現化したソフトウェアのプログラムコードを記録した記憶媒体をシステム或いは装置に提供してもよい。そして、そのシステム或いは装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【０１２０】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施例の機能が実現される場合も含まれている。
【０１２１】
さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【図面の簡単な説明】
【０１２２】
【図１】（ａ）本発明の一実施例のとしてのデジタルカメラの外観図である。（ｂ）本発明の一実施例のとしてのデジタルカメラの構成ブロック図である。
【図２】実施例１の顔検出自動撮影処理１のフローチャートである。
【図３】実施例２の顔検出自動撮影処理２のフローチャートである。
【図４】実施例３の顔検出自動撮影処理３のフローチャートである。
【図５】実施例１の顔検出自動撮影時の表示画面例である。
【図６】実施例１の顔検出自動撮影時の表示画面例である。
【図７】実施例１の顔検出自動撮影時の表示画面例である。
【図８】実施例３の顔検出自動撮影時の表示画面例である。
【符号の説明】
【０１２３】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
５８  タイマー
６０  モードダイアル
６１  シャッターボタン
６２  シャッタースイッチＳＷ１
６４  シャッタースイッチＳＷ２
６８  クイックレビューＯＮ／ＯＦＦスイッチ
７０  操作部
８０  電源制御手段
８２  コネクタ
８４  コネクタ
８６  電源手段
９０  インターフェース
９２  コネクタ
９４  インターフェース
９６  コネクタ
９８  記録媒体着脱検知手段
１００  デジタルカメラ
１０２  保護手段
１０４  光学ファインダー
１１０  通信手段
１１２  コネクタ（またはアンテナ）
１１８  スピーカー
２００  記録媒体
２０２  記録部
２０４  インターフェース
２０６  コネクタ
２１０  記録媒体
２１２  記録部
２１４  インターフェース
２１６  コネクタ
【図１】
2010028354.tif 000003
【図２】
2010028354.tif 000004
【図３】
2010028354.tif 000005
【図４】
2010028354.tif 000006
【図５】
2010028354.tif 000007
【図６】
2010028354.tif 000008
【図７】
2010028354.tif 000009
【図８】
2010028354.tif 000010